(57)【要約】【課題】本発明は、軽量な装置を用いて人力によって迅速かつ安全確実に楔片の固定状態を解除することが可能なグラウンドアンカー再緊張用治具及び該グラウンドアンカー再緊張用治具を用いた楔片の固定状態解除方法を提供する。【解決手段】アウターカップは有蓋中空略筒形状であって、蓋部の中央にはアウターカップ用貫通孔を有し、アウターカップ用貫通孔の内周面の少なくも一部に、テンションバーに螺合可能なテンションバー用雌ネジが形成されており、支持プレートの中央には、楔片が嵌まり込んだ固定状態を解除するための解除部材が螺合可能な解除部材用雌ネジ部が形成されており、アウターカップ用貫通孔の内径は、前記解除部材用雌ネジ部の内径よりも大きく設定されており、解除部材が解除部材用雌ネジ部を螺進することで解除部材によってインナーカップとアウターカップとが下方に押圧され固定状態が解除される。【選択図】図１
2014214454.tif 000002
【特許請求の範囲】
【請求項１】
アンカーヘッドの周囲に間隙を介して配置される、下端側内周面に下方向に向けて小径となるテーパー面を有するインナーカップと、
前記間隙に嵌入し前記アンカーヘッドと前記インナーカップとを固定する、支持プレートに支持された複数の楔片と、
前記インナーカップ、前記支持プレート及び前記複数の楔片を覆うと共に、前記インナーカップに係合されるアウターカップと、を有し、
前記アウターカップがテンションバーを介してジャッキによって緊張方向に移動すると、前記アウターカップに係合された前記インナーカップも緊張方向に移動することで、前記楔片が前記インナーカップのテーパー面と前記アンカーヘッドの外周面との間に嵌まり込むことにより、前記アンカーヘッドと前記インナーカップとが固定状態となり、アンカーを再緊張することが可能なグラウンドアンカー再緊張用治具において、
前記アウターカップは有蓋中空略筒形状であって、蓋部の略中央にはアウターカップ用貫通孔を有し、前記アウターカップ用貫通孔の内周面の少なくも一部に、前記テンションバーに螺合可能なテンションバー用雌ネジが形成されており、
前記支持プレートの略中央には、前記楔片が嵌まり込んだ固定状態を解除するための解除部材が螺合可能な解除部材用雌ネジ部が形成されており、
前記アウターカップ用貫通孔の内径は、前記解除部材用雌ネジ部の内径よりも大きく設定されており、
前記解除部材が前記解除部材用雌ネジ部を螺進することで、前記解除部材によって、前記インナーカップと、前記アウターカップとが下方に押圧され前記固定状態が解除されるグラウンドアンカー再緊張用治具。
【請求項２】
前記複数の楔片の内側面には横方向に延びる複数の溝を形成することにより、アンカーヘッドに向けて突出する複数の凸条部が形成されている請求項１に記載のグラウンドアンカー再緊張用治具。
【請求項３】
前記解除部材がねじ部材である請求項１又は請求項２に記載のグラウンドアンカー再緊張用治具。
【請求項４】
前記楔片が、前記支持プレートに揺動可能に支持されている請求項１から請求項３のいずれかに記載のグラウンドアンカー再緊張用治具。
【請求項５】
前記解除部材用雌ネジ部は、前記支持プレートの略中央に設けられた支持プレート用貫通孔に形成され、前記支持プレート用貫通孔の内径は、上部側と下部側とで異なっており、前記上部側の内径は、前記アウターカップ用貫通孔の内径よりも小さく設定されていると共に、前記下部側の内径は前記上部側の内径よりも大きく設定されている請求項１から請求項４のいずれかに記載のグラウンドアンカー再緊張用治具。
【請求項６】
前記アウターカップと前記インナーカップが、互いに一体的に形成された一体型カップを構成しており、前記一体型カップの蓋部が取り外し可能になっている請求項１から請求項５のいずれかに記載のグラウンドアンカー再緊張用治具。
【請求項７】
請求項１に記載のグラウンドアンカー再緊張用治具を用いて、前記楔片が前記インナーカップのテーパー面と前記アンカーヘッドの外周面との間に嵌まり込んだ固定状態を解除する方法であって、
前記アウターカップに前記テンションバーを装着していない状態にて、前記アウターカップ用貫通孔より、前記解除部材を貫通し、前記解除部材が前記楔片を支持する前記支持プレートに形成された前記解除部材用雌ネジ部を螺進することで、前記解除部材によって、前記インナーカップと、前記アウターカップとを下方に押圧することにより前記固定状態を解除する固定状態解除方法。
【発明の詳細な説明】
【技術分野】
【０００１】
本発明は、グラウンドアンカーを再緊張する際に使用するグラウンドアンカーの再緊張用治具及びそのグラウンドアンカー再緊張用治具を用いて楔片の固定状態を解除する方法に関するものである。
【背景技術】
【０００２】
ＰＣ鋼より線等に代表される緊張材（以下、単に「アンカー」という場合がある。）を緊張し、その緊張力により地盤、各種構造物等の安定化を図るグラウンドアンカーが、地盤、各種構造物等において広く施工されている。
【０００３】
このような、グラウンドアンカーにおいては、対象とする地盤、各種構造物等が存続する間、要求される定着荷重での緊張状態を継続して維持しなければならない。しかし、施工後長期間経過したアンカーの中には、機能低下を起こしているものがみられる。そのため、定着荷重の定期的な検査（アンカーの健全度検査）が、グラウンドアンカーにおいて要求されている。
【０００４】
この、グラウンドアンカーの定着荷重の検査は、一般的にＰＣ鋼より線等のアンカーを再緊張することによって行われるが、この際問題となるのは、アンカーを直接ジャッキによって牽引することができないことである。
【０００５】
つまり、グラウンドアンカーを定着させた際、アンカーヘッドから僅かに突出したところで切断されるため、ジャッキがアンカーを直接把持することができない。
【０００６】
そこで、アンカーを再緊張する方法として、従来より、外筒に摺接された内筒のテーパー面に沿って複数個の楔片を押し出し、楔片のアンカーヘッドへの把持、及び、収縮方向への内筒の摺動によるアンカーヘッドの牽引によって、アンカーが再緊張されるアンカーメンテナンスジャッキが知られている（例えば、特許文献１）。
【０００７】
このアンカーメンテナンスジャッキは、再緊張後油圧ポンプを全て始動時に戻すことにより、リターンスプリング、スナップスプリングの反発効果が発揮されることで楔片を押し込み位置から容易に離脱することが可能であるとされる。
【０００８】
しかしながら、適正な押し込み位置に押し込まれた楔片は、内筒のテーパー面とアンカーヘッドの外周面との間に強大な圧力のもとで密着され強固に固定されており、スナップスプリング等のばね手段の反発力程度では、その固定状態から楔片を円滑に解除することができなかった。
【０００９】
そのため、外筒を何度も大型のハンマー等で叩くことにより楔片を固定状態から解除したり、または、センターホール型のジャッキによって強制的に楔を引き抜くアンカーの再緊張用治具があった（例えば、特許文献２）。
【先行技術文献】
【特許文献】
【００１０】
【特許文献１】実公平０４−０３７９５７号公報
【特許文献２】特開平１１−２５６８２７号公報
【発明の概要】
【発明が解決しようとする課題】
【００１１】
しかしながら、グラウンドアンカーは切土法面等の不安定な土塊を固定するため、または地すべり対策等のために施工されるものであるため、アンカーの定着荷重の検査は、通常、勾配が急な傾斜地、更には、地面から略直角に形成された法面等で行われる。
【００１２】
よって、アンカーの定着荷重の検査を行う場合、仮設された足場上で行う必要がある。その足場上において、外筒を何度も大型のハンマー等で叩いて楔片を固定状態から解除する作業は非常に危険を伴うものであった。
【００１３】
また、センターホールジャッキ等の重量物を使用する場合は、それ相応の大掛かりな設備が必要となるうえに、クレーン車によって搬入、撤去する場合は、道路の交通規制が必要になることもあった。
【００１４】
そのため、作業自体が大掛かりになるので、アンカー一か所あたりの検査に要する時間や労力が費やされるため、調査箇所が限定され、適切な定着荷重の検査が行えなかった。
【００１５】
さらに、外筒をハンマーで叩く方法によって楔片を解除する場合は、楔片が固定状態から解除された瞬間に外筒等がいきなり外れるので、危険が伴ううえに、外筒を押さえる作業者等が必要であった。
【００１６】
また、センターホールジャッキによって楔片を引き抜く方法の場合も、楔片を固定状態から解除した瞬間に油圧ジャッキ、ラムチェアー、等の重量物がいきなり倒れてくる可能性があり、更なる危険を伴ううえに、大勢の作業者がそれらを保持する必要があった。
【００１７】
そこで、本発明は上記課題に鑑みてなされたものであって、その目的とするところは、軽量な装置を用いて、人力によって迅速かつ安全確実に楔片の固定状態を解除することが可能なアンカー再緊張用治具及び該アンカー再緊張用治具を用いた楔片の固定状態解除方法を提供することにある。
【課題を解決するための手段】
【００１８】
前記した目的を達成するために、本発明に係るグラウンドアンカー再緊張用治具は、アンカーヘッドの周囲に間隙を介して配置される、下端側内周面に下方向に向けて小径となるテーパー面を有するインナーカップと、前記間隙に嵌入し前記アンカーヘッドと前記インナーカップとを固定する、支持プレートに支持された複数の楔片と、前記インナーカップ、前記支持プレート及び前記複数の楔片を覆うと共に、前記インナーカップに係合されるアウターカップと、を有し、前記アウターカップがテンションバーを介してジャッキによって緊張方向に移動すると、前記アウターカップに係合された前記インナーカップも緊張方向に移動することで、前記楔片が前記インナーカップのテーパー面と前記アンカーヘッドの外周面との間に嵌まり込むことにより、前記アンカーヘッドと前記インナーカップとが固定状態となり、アンカーを再緊張することが可能なアンカー再緊張用治具において、前記アウターカップは有蓋中空略筒形状であって、蓋部の略中央にはアウターカップ用貫通孔を有し、前記アウターカップ用貫通孔の内周面の少なくも一部に、前記テンションバーに螺合可能なテンションバー用雌ネジが形成されており、前記支持プレートの略中央には、前記楔片が嵌まり込んだ固定状態を解除するための解除部材が螺合可能な解除部材用雌ネジ部が形成されており、前記アウターカップ用貫通孔の内径は、前記解除部材用雌ネジ部の内径よりも大きく設定されており、前記解除部材が前記解除部材用雌ネジ部を螺進することで、前記解除部材によって、前記インナーカップと、前記アウターカップとが下方に押圧され前記固定状態が解除される。
【００１９】
また、前記複数の楔片の内側面には横方向に延びる複数の溝を形成することにより、アンカーヘッドに向けて突出する複数の凸条部を形成するこができる。
【００２０】
また、前記解除部材をねじ部材とすることができる。
【００２１】
また、前記楔片が、前記支持プレートに揺動可能に支持されることとすることもできる。
【００２２】
また、前記解除部材用雌ネジ部は、前記支持プレートの略中央に設けられた支持プレート用貫通孔に形成され、前記支持プレート用貫通孔の内径は、上部側と下部側とで異なっており、前記上部側の内径は、前記アウターカップ用貫通孔の内径よりも小さく設定されていると共に、前記下部側の内径は前記上部側の内径よりも大きく設定することができる。
【００２３】
前記アウターカップと前記インナーカップが、互いに一体的に形成された一体型カップを構成しており、前記一体型カップの蓋部が取り外し可能とすることができる。
【００２４】
また、上述したグラウンドアンカー再緊張用治具を用いて、前記楔片が前記インナーカップのテーパー面と前記アンカーヘッドの外周面との間に嵌まり込んだ固定状態を解除する方法であって、前記アウターカップに前記テンションバーを装着していない状態にて、前記アウターカップ用貫通孔より、前記解除部材を貫通し、前記解除部材が前記楔片を支持する前記支持プレートに形成された前記解除部材用雌ネジ部を螺進することで、前記解除部材によって、前記インナーカップと、前記アウターカップとを下方に押圧することにより前記固定状態を解除する固定状態解除方法。
【発明の効果】
【００２５】
このように、本発明のグラウンドアンカー再緊張用治具及び該グラウンドアンカー再緊張用治具を用いた楔片の固定状態解除方法によれば、軽量な装置を用いて、人力によって迅速かつ安全確実に楔片の固定状態を解除することが可能となる。
【図面の簡単な説明】
【００２６】
【図１】本発明の第１実施形態に係るグラウンドアンカー再緊張用治具を用いて、アンカーを再緊張させて定着荷重の検査を行っている状態を示す概略図である。
【図２】本発明の第１実施形態に係るグラウンドアンカー再緊張用治具の分解斜視図である。
【図３】支持プレートと楔片の分解斜視図である。
【図４】本発明の第１実施形態に係るグラウンドアンカー再緊張用治具をアンカーヘッドに取り付けて、定着荷重の検査を行うまでの工程図である。
【図５】定着荷重の検査が終了した後、本発明の第１実施形態に係るグラウンドアンカー再緊張治具をアンカーヘッドから取り外す工程図である。
【図６】第２実施形態に係るグラウンドアンカー再緊張用治具の正面図である。
【発明を実施するための形態】
【００２７】
以下、本発明に係る実施形態を図面に従って説明するが、本発明はこの実施形態に限定されるものではない。
【００２８】
図１は、本発明の第１実施形態に係るグラウンドアンカー再緊張用治具（以下「アンカー再緊張用治具」という。）を用いて、アンカーＡを再緊張させてアンカーＡの定着荷重の検査を行っている状態を示す概略図である。図２は、本発明の一実施形態に係るアンカー再緊張用治具の分解斜視図である。
【００２９】
このアンカー再緊張用治具は、主として所定の定着荷重のもとで牽引されたＰＣ鋼より線等に代表されるアンカーＡの定着荷重の検査をする際に、アンカーＡの頭部定着具（以下、「アンカーヘッドＨ」という）を把持し固定するものであり、このアンカー再緊張用治具を油圧ジャッキ７の緊張動作によって緊張方向（図１の上方側方向）に牽引することで、アンカー再緊張用治具によって固定されたアンカーヘッドＨと共にアンカーＡを再緊張させることができる。
【００３０】
本実施形態に係るアンカー再緊張用治具は、インナーカップ１と、支持プレート２に支持された複数の楔片３と、アウターカップ４とを備える。
【００３１】
インナーカップ１は、アンカーヘッドＨの周囲に間隙を介して配置され、前記間隙に複数の楔片３が嵌入可能となっており、複数の楔片３が嵌り込んだ状態において、インナーカップ１とアンカーヘッドＨとが強固に固定される（以下、単に「固定状態」という場合がある。）と共に、インナーカップ１はアウターカップ４と係合可能なものである。
【００３２】
インナーカップ１は中空円筒形状であり、内周面の下端側に下方向（図１の下方側方向）に向けて小径となるテーパー面１１を有し、外周面には、後述するアウターカップ４の内周面に設けられた雌ネジに螺合可能な雄ネジが形成されている。本実施形態のインナーカップ１には、外周面全体に亘って雄ネジが形成されているが、インナーカップ１の外周面の一部にのみ雄ネジを形成してもよい。
【００３３】
図１に示すように、楔片３は、インナーカップ１の内周面のテーパー面１１とアンカーヘッドＨの外周面との間に嵌り込むことで、インナーカップ１とアンカーヘッドＨとを強固に固定する。
【００３４】
楔片３は、図１、図２及び図３に示すように、支持プレート２に支持されており、インナーカップ１側に位置する面のみが下側に向けて幅狭になっている楔形状である。また、楔片３のインナーカップ１側に位置する面は、インナーカップ１の内周面のテーパー面１１に対応する湾曲形状を有しているので、固定状態においてより強固に固定されることとなる。
【００３５】
アンカーヘッドＨの外周の形状としては、種々の形状が存在する。例えば略円柱形状、略六角柱等の多角柱形状が存在する。本実施形態に係る楔片３は、アンカーＡの外周面側に位置する面は直線状に形成されているため、種々の外周形状を有するアンカーヘッドＨを強固に把持することができる。
【００３６】
楔片３の内側面には横方向（幅方向）に延びる複数の溝を形成することにより、アンカーヘッドＡに向けて突出する複数の凸条部３１が形成されている。この凸条部３１が形成されることにより、アウターカップ４を介してインカップ１が牽引されたとき、アンカーヘッドＨの外側面に楔片３が噛み込み強硬な固定状態となる。
【００３７】
また、楔片３とインナーカップ１との間が真空状態になり、固定状態の楔片３が円滑に解除できない場合を考慮して、楔片３の外側面やインナーカップ１の内周面に溝を設ける構成にすることもできる。
【００３８】
支持プレート２は、複数の楔片３を支持すると共に、固定状態の楔を解除するための解除部材９が螺合可能な解除部材用雌ネジ部２４を有する。
【００３９】
支持プレート２は、円柱の略中心に支持プレート用貫通孔２１が形成された略ドーナツ形状であり、この支持プレート用貫通孔２１の内径は、上部側２２と下部側２３とで異なっている。支持プレート用貫通孔２１の上部側２２の内径は、後述するアウターカップ４４に形成されるアウターカップ用貫通孔４２の内径よりも小さく設定されており、その内周面には解除部材９が螺進可能な雌ネジ（解除部材用雌ネジ部２４）が形成されている。支持プレート用貫通孔２１の下部側２３の内径は、上部側２２の内径よりも大きく形成されていると共に、下端側近傍は外側に拡径したテーパー状に形成されている。この支持プレート用貫通孔２１の下部側２３の空間は、アンカーヘッドＨの上方に突出しているアンカーＡが収まるスペースとなる。
【００４０】
アンカーヘッドＨの上方に突出しているアンカーＡは、アンカーＡを設置した後にアンカーヘッドＨの上方に僅かな長さを残して適宜切断されるものであり、その長さはまちまちである。そのため、アンカーＡがアンカーヘッドＨの上方に長く残されていた場合、アンカーＡが支持プレート２に当たってしまい、楔片３がインナーカップ１とアンカーヘッドＨとの間隙に十分に挿入できなくなる場合がある。しかし、そのような場合であってもこの支持プレート用貫通孔２１の下部側２３のスペースが設けられていれば、アンカーヘッドＨの上方にある程度長く突出した状態で切断されたアンカーＡを有するアンカーヘッドＨであっても適切に固定することができる。
【００４１】
よって、支持プレート用貫通孔２１の下部側２３の内部は、アンカーヘッドＨの上方に突出しているアンカーＡが収まる程度の内径及び高さを有していることが好ましい。
【００４２】
なお、図１等に示すアンカーＡは、一本のアンカーＡを地盤等に定着させた状態を示しているが、複数本のアンカーＡによって定着されている場合もある。そのような場合には、支持プレート用貫通孔２１の下部側２３の内部は、その複数本のアンカーＡが収まる内径を有することが好ましい。
【００４３】
本実施形態の支持プレート２の貫通孔の内径は、上部側２２と下部側２３とで異なる構成としているが、同一の内径にすることもできる。また、例えば、支持プレート２の上面側の略中心に凹状部を形成し、その内周面に雌ネジを設けて解除部材用雌ネジ部２４とすることできる。この場合、支持プレート２下面側の略中央に凹状部を形成して、アンカーヘッドＨの上方に突出しているアンカーＡが配置される空間を形成することもできるし、アンカーＡが収まるスペースを設けない構成とすることもできる。
【００４４】
また、略ドーナツ形状のリング状部分２５には、楔片３を取り付けるための接続部材２７が挿通すると共に掛止可能な挿通孔２６が設けられている。挿通孔２６は少なくとも支持プレート２に支持される楔片３の数と同じ数設けられており、支持プレート２に支持された楔片３がインナーカップ１の内周に設けられたテーパー面１１の略全周に亘って等間隔に配置可能となるように、リング状部分２５に周状に等間隔に形成されている。
【００４５】
本実施形態の接続部材２７はネジ部材（ボルト）を使用しており、挿通孔２６に挿通したネジ部材を、楔片３の上部に形成された接続部材係合部３２（ネジ孔）に螺合することで、楔片３は支持プレート２の下面側に支持された状態で支持プレート２に接続される。また、挿通孔２６の内径を、ネジ部材の外形の寸法よりも一回り大きくし、挿通孔２６内でネジ部材が動く遊びスペースを設けることで、楔片３が支持プレート２に揺動可能に支持されていることが好ましい。
【００４６】
楔片３が支持プレート２に揺動可能に支持されていることで、楔片３が中心方向に向かって傾斜した状態で固定されることを防止でき、アンカーヘッドＨとインナーカップ１との間隙に挿入する際に挿入しやすくなる。
【００４７】
また、楔片３が支持プレート２に揺動可能に支持されていることで、楔片３をアンカーヘッドＨとインナーカップ１との間隙に挿入した状態で、支持プレート２を断続的に繰り返し上下方向に動かすことで楔片３が均され、楔片３を偏りなく適切に配置することができる。よって、固定状態においてアンカーＡを牽引する際、荷重の偏りなく牽引することが可能となる。
【００４８】
本実施形態の支持プレート用貫通孔２１の形状は、平面視において略円形であるが、アンカーヘッドＨとインナーカップ１との間隙に挿入する際に挿入しやすくするために、例えば、径方向に延びた楕円形状等としてもよい。
【００４９】
本実施形態のアンカー再緊張用治具は、６個の楔片３を支持プレート２に支持させる構成としているが、アンカーヘッドＨ、インナーカップ１等の形状、大きさによって、楔片３の数、大きさ、形状等を適宜変更できる。
【００５０】
アウターカップ４は、インナーカップ１に係合すると共に、テンションバー５を介して油圧ジャッキ７に連結される。
【００５１】
アウターカップ４は、インナーカップ１と、支持プレート２と、支持プレート２に支持された楔片３とを覆うことが可能な有蓋中空筒形状をしており、蓋部４１の略中央にはアウターカップ用貫通孔４２を有し、前記アウターカップ用貫通孔４２の内周面の少なくも一部に、テンションバー５が螺合可能なテンションバー用雌ネジ４３が形成されている。
【００５２】
本実施形態のアウターカップ４は、中空円筒形状の上部に円錐台形状の蓋部４１が一体的に設けられている。この蓋部４１の略中央に有するテンションバー用雌ネジ４３が形成されたアウターカップ用貫通孔４２の内径は、支持プレート２に有する解除部材用雌ネジ部２４が形成された支持プレート用貫通孔２１の内径よりも大きく設定されている。
【００５３】
アウターカップ４の中空円筒形状の内周面には、インナーカップ１の外周面に形成された雄ネジに対応する雌ネジが形成されており、アウターカップ４をインナーカップ１に被せて螺合することでアウターカップ４とインナーカップ１とが係合する。
【００５４】
アウターカップ４の蓋部４１は、アウターカップ４がインナーカップ１に係合された状態において、後述する解除部材９がアウターカップ用貫通孔４２を貫通し、支持プレート２の解除部材用雌ネジ部２４を螺進する際に、解除部材９の押圧部９１が押圧可能な当接部４４を有する。具体的には、解除部材９の押圧部９１が当接するアウターカップ４の蓋部４１の上端面が当接部４４となる。当接部４４は平坦な面状であることが好ましく、アウターカップ４の形状は、本実施形態の形状以外にも、例えば、中空円筒形状の上部に円柱形状の蓋部４１が一体的に設けられている形状等にすることができる。
【００５５】
また、インナーカップ１の周囲にアウターカップ４を被せていることで、再緊張時にインナーカップ１が拡こうとするのを防ぐこともできる。
【００５６】
また、本実施形態ではインナーカップ１とアウターカップ４とは、螺合によって係合させる構成としているが、インナーカップ１とアウターカップ４とは着脱可能であって、牽引方向の軸線方向に一体的に移動可能に係合していれよく、螺合によって係合される構成に限定されず、例えば、係合ピン等によって連結する構成とすることもできる。
【００５７】
解除部材９は、アウターカップ用貫通孔４２を貫通し、支持プレート２の解除部材用雌ネジ部２４を螺進すると共に、解除部材９に設けられた押圧部９１によって、アウターカップ４の当接部４４を当接することで、アウターカップ４とインナーカップ１とを下方に移動させ、楔片３の固定状態を解除する。
【００５８】
本実施形態の解除部材９はねじ部材を使用しており、更に具体的には、六角ボルトを使用しており、座面が押圧部９１となる。ボルトの軸部の長さは、座面（押圧部９１）がアウターカップ４の上端面（当接部４４）に当接した状態で、支持プレート２の解除部材用雌ネジ部２４に螺合し螺進可能な長さであればよい。
【００５９】
また、解除部材９は、解除部材用雌ネジ部２４を螺進可能な螺子と、当接部４４を押圧可能な押圧部９１を有すれば、どのようなものでも構わないが、上述したようにボルト等のねじ部材を使用すれば、部品のコストを低廉に抑えることができ好ましい。
【００６０】
次に、本実施形態に係るアンカー再緊張用治具を用いて定着荷重の検査をするまでの工程について図４の（ａ）〜（ｈ）を参照しながら説明する。なお、定着荷重の検査に用いる、テンションバー５、ラムチェアー６、油圧ジャッキ７等の検査の際に使用される器材及び定着荷重の検査方法については、従来この種の検査に用いられている公知の器材及び公知の検査方法を適宜使用するので詳細な説明は省略する。
【００６１】
まず、図４（ａ）に示すように、アンカーヘッドＨの周囲に間隙を介してインナーカップ１を配置する。次に、図４（ｂ）に示すように、支持プレート２に支持された複数の楔片３を、アンカーヘッドＨとインナーカップ１との間隙に挿入する。このとき、アンカーヘッドＨの上方にアンカーＡが一定程度突出している場合は、支持プレート用貫通孔２１の下部側２３にアンカーＡが収まる。次に、図４（ｃ）に示すように、楔片３を押し込めるところまで適切に挿入する。次に、図４（ｄ）に示すように、アウターカップ４を、インナーカップ１、支持プレート２及び支持プレート２に支持された複数の楔片３を覆うように被せた後、インナーカップ１の外周面に設けられた雄ネジとアウターカップ４の内周面に設けられた雌ネジとを螺合させ、インナーカップ１とアウターカップ４とを係合させる。
【００６２】
なお、図４（ｄ）に示す図では、アウターカップ４を、インナーカップ１の最下端近傍まで覆うように螺合する構成としているが、アウターカップ４とインナーカップ１とが適切に係合すればよく、アウターカップ４は、インナーカップ１の全てを覆う構成でなくてもよい。
【００６３】
次に、図４（ｅ）に示すように、アウターカップ４にテンションバー５を取り付ける。具体的には、全周に亘って螺子が設けられている細長い棒状のテンションバー５の一端側を、アウターカップ４に設けられているテンションバー用雌ネジ４３に螺合する。次に、ラムチェアー６を、アウターカップ４を覆うように立設する。このラムチェアー６は、公知のものを使用することができる。しかし、ラムチェアー６は、図４（ｄ）の状態のアウターカップ４を覆うことが可能であって、なお且つ、アウターカップ４が緊張方向に牽引された際、アウターカップ４が上方に移動するためのスペースを確保した内部高さを有することが必要である。
【００６４】
なお、テンションバー５をアウターカップ４に取り付ける順番と、ラムチェアー６を立設する順番は、どちらが先でも後でも問題なく、現場の状況によって作業者が臨機応変に変更可能である。
【００６５】
次に、図４（ｆ）に示すように、油圧ジャッキ７にテンションバー５を取り付けると共に、油圧ジャッキ７をラムチェアー６の上部に設置する。そして、図４（ｇ）に示すように、油圧ジャッキ７の上部に突出したテンションバー５に押さえナット５５を螺合させて油圧ジャッキ７を固定する。これにより、アウターカップ４と油圧ジャッキ７とが、テンションバー５を介して連結される。油圧ジャッキ７は、公知の油圧ジャッキを使用することができるが、本発明の目的に鑑みれば、センターホールジャッキ等の大型で重量のあるジャッキよりも、例えば、特開２００７−１２０２８３号公報において開示されているアンカーメンテナンスジャッキ等の小型で軽量な油圧ジャッキ７を使用することが好ましい。
【００６６】
次に、図４（ｈ）に示すように、油圧ホース７１や適宜の計測器７２が取り付けられた油圧ジャッキ７によって、テンションバー５が緊張方向に牽引されることで、牽引方向の軸線方向にアウターカップ４とアウターカップ４に係合されたインナーカップ１とが牽引される。しかしながら、支持プレート２と、支持プレート２に支持された複数の楔片３とは、アウターカップ４、インナーカップ１のいずれにも係合されていないため、インナーカップ１がアウターカップ４と共に牽引されることで、楔片３がインナーカップ１の内周面のテーパー面１１とアンカーヘッドＨの外周面との間隙に嵌り込み、インナーカップ１とアンカーヘッドＨとが強固に固定された固定状態となる。この固定状態において、アウターカップ４に係合されたインナーカップ１が緊張方向に牽引されると、アンカーヘッドＨと共にアンカーＡを再緊張させることができる。
【００６７】
そして、このアンカーＡを再緊張させた状態において、自動計測器等の計測器７２を用いて、アンカーＡの伸び量、載荷圧力を計測し、載荷基準に基づく載荷基準、載荷荷重、変位荷重曲線等をパーソナルコンピュータの画面上で確認しながら定着荷重の検査を行う。
【００６８】
この固定状態のとき、図４の（ｈ）に示すように、牽引後のインナーカップ１の位置が、図４の（ｄ）に示す牽引前の位置、つまりインナーカップ１をアンカーヘッドＨの周囲に配置したときの設置面８よりも、楔片３がアンカーヘッドＨの外側面に噛み込んだ分上方に移動する。これにより、牽引後のインナーカップ１の下端と設置面８との間に隙間Ｓができる。
【００６９】
次に、本実施形態に係るアンカー再緊張用治具を用いて定着荷重の検査を行った後、固定状態から楔片３を解除する工程について図５の（ｉ）〜（ｏ）を参照しながら説明する。
【００７０】
定着荷重の検査が終了した後、計測器７２、油圧ホース７１、押さえナット５５、油圧ジャッキ７、テンションバー５及びラムチェアー６等の重量物を取り外して（図示しない）、図５の（ｉ）に示すように、本実施形態のアンカー再緊張用治具だけにする。この状態において、複数の楔片３がインナーカップ１の内周面のテーパー面１１とアンカーヘッドＨの外周面との間隙に嵌り込み、インナーカップ１とアンカーヘッドＨとが強固に固定されたままの状態である。
【００７１】
次に、図５の（ｊ）に示すように、解除部材９をアウターカップ４の蓋部４１に設けられた貫通口に貫通させて、インナーカップ１の解除部材９雌ネジ部をスパナやレンチ等の工具を用いて螺進させることにより、解除部材９の押圧部９１がアウターカップ４の当接部４４を押圧することで、アウターカップ４とアウターカップ４に係合されているインナーカップ１とが下方に押され、図５の（ｋ）に示すように、楔片３が固定状態から解除される。このとき、適宜ワッシャー５６を用いてもよい。
【００７２】
詳述すると、牽引後のインナーカップ１の下端と設置面８との間に隙間Ｓが存在するため、解除部材９の押圧部９１がアウターカップ４の当接部４４を押圧した際、アウターカップ４とアウターカップ４に係合されているインナーカップ１とが下方に移動可能となり楔片３が固定状態から解除される。
【００７３】
楔片３が固定状態から解除されたとき、インナーカップ１とインナーカップ１に係合されたアウターカップ４がぐらぐら揺れるので、解除されたことが瞬時に目視できる。しかも、固定状態が解除されたときに、解除部材９が解除部材用雌ネジ部２４に螺合しているので、いきなりアウターカップ４等が外れることもない。よって、外筒等を押さえる作業者が不要となり、一人の作業者でも固定状態を解除することが可能となった。
【００７４】
次に、図５の（ｌ）に示すように、解除部材９を螺退させると共に、アウターカップ用貫通孔４２からも引き抜き、アウターカップ４を取り外す（図５の（ｍ）参照）。
【００７５】
次に、図５の（ｎ）に示すように、支持プレート２と支持プレート２に支持された楔片３をインナーカップ１から引き抜き、次いで図５の（ｏ）に示すように、インナーカップ１を取り外す。なお、図５の（ｍ）の状態から、インナーカップ１と支持プレート２と、支持プレート２に支持された楔片３を一気に取り外してもよい。
【００７６】
次に、本発明の第２実施形態のアンカー再緊張用治具について説明するが、基本的には上述した第１実施形態と同様であるため、異なる部分のみ説明する。
【００７７】
図６に示す第２実施形態のアンカー再緊張用治具は、上述したアウターカップ４とインナーカップ１とが、一体的に形成された一体型カップ１００と、支持プレート２に支持された複数の楔片３とを備える。
【００７８】
一体型カップ１００は、支持プレート２と支持プレート２に支持された複数の楔片３とを覆うことが可能な有蓋中空筒形状をしており、蓋部４１が取り外し可能に係合されている。
【００７９】
一体型カップ１００は、中空円筒形状の筒部１０１と、筒部の上方側に係合可能な蓋部４１とを有している。筒部１０１は、内周面の下端側に下方向（図６の下側方向）に向けて小径となるテーパー面１１を有し、筒部の上端近傍に蓋部４１に形成された蓋部側係合部１０３と係合可能な筒部側係合部１０２を有する。本実施形態の筒部側係合部１０２は、後述する蓋部４１の外周面に設けられた雄ネジと螺合可能な雌ネジである。
【００８０】
蓋部４１は、基本的な構成は第１実施形態に係るアンカー再緊張用治具のアウターカップ４に形成されている蓋部４１と同様であるが、蓋部４１が取り外し可能に形成されている構成が異なる。
【００８１】
蓋部４１は筒部１０１の内径に対応した外径を有する円柱形状であり、筒部１０１と係合可能な蓋部側係合部１０３を有する。本実施形態の蓋部側係合部１０３は、筒部１０１の上端近傍に形成された雌ネジと螺合可能な雄ネジである。その他は、第１実施形態の蓋部４１と基本的に同様である。
【００８２】
なお、蓋部４１の上部に筒部１０１と螺合させる際の持ち手部や工具が取り付け可能な取付部を設ける構成とすることもできる（図示しない）。
【００８３】
次に、第２実施形態に係るアンカー再緊張用治具を用いて定着荷重の検査を行う過程で、第１実施形態の工程と異なる工程のみ説明する。
【００８４】
第２実施形態に係るアンカー再緊張用治具の場合、まず、アンカーヘッドＨの周囲に間隙を介して一体型カップ１００の筒部１０１を配置する。次に、支持プレート２に支持された複数の楔片３をアンカーヘッドＡと筒部１０１との間隙に挿入する。次に、支持プレート２及び支持プレート２に支持された楔片３を覆うように、蓋部４１を筒部１０１に係合させる。その後の定着荷の検査までは第１実施形態に係るアンカー再緊張用治具の場合と同様である。
【００８５】
また、定着荷重の検査が終了し、楔片３を固定状態から解除するまでは、第１実施形態に係るアンカー再緊張用治具の場合と同様であるが、解除部材９を蓋部に設けられたアウターカップ用貫通孔４２（第２実施形態においては一体型カップ１００の蓋部４１に設けられている貫通孔４２）から引き抜いた後、蓋部４１を取り外す。
【００８６】
次に、支持プレート２と支持プレート２に支持された楔片３を筒部１０１から引き抜き、次いで、筒部１０１を取り外す。なお、筒部１０１と支持プレート２と支持プレート２に支持された楔片３とを一気に取り外してもよい。
【００８７】
第２実施形態におけるアンカー再緊張用治具の一体型カップは、第１実施形態におけるアンカー再緊張用治具のアウターカップ４とインナーカップ１とが、一体的に形成されているため機械的強度が増すと共に、部品数が減るので作業性に優れる。
【００８８】
第１実施形態及び第２実施形態におけるアンカー再緊張用治具はいずれも、種々のアンカーＡに使用することが可能であるが、第１実施形態のアンカー再緊張用治具は、アンカーヘッドＨの外径が小さい場合に、アンカーヘッドＡとインナーカップ１との間隙に支持プレート２に支持された楔片３を挿入する際に、容易に挿入できる構成であるため、外径が小さいアンカーヘッドＨに使用する場合作業性に優れる。
【００８９】
以上説明したように、本発明のアンカー再緊張用治具及び該アンカー再緊張用治具を用いた楔片３の固定状態解除方法によれば、軽量な装置を用いて、人力によって迅速かつ安全確実に楔片３の固定状態を解除することが可能となる。
【００９０】
よって、大掛かりな足場を設置することもなく、また、アンカーＡ一か所あたりの検査に要する時間や労力が削減できるため、より多くのアンカーＡを検査することが可能となり、適切な定着荷重の検査を行うことが可能となる。
【００９１】
なお、本実施形態の説明において、アンカーＡの定着荷重の検査における再緊張時に使用するアンカー再緊張用治具として例示したが、本発明のアンカー再緊張用治具は、定着荷重の検査の際に使用するものに限定されず、例えば、補修等のためにアンカーを再緊張する場合に使用することができるのは勿論のことである。
【００９２】
また、本発明は上述した実施形態に限定されず、本発明の趣旨を逸脱しない範囲で、種々の追加、変更、削除、または工程の順番変更等が可能である。したがって、そのようなものも本発明の範囲内に含まれる。
【符号の説明】
【００９３】
Ｈ      アンカーヘッド
Ａ      アンカー
１      インナーカップ
１１    テーパー面
２      支持プレート
２１    支持プレート用貫通孔
２２    上部側
２３    下部側
２４    解除部材用雌ネジ部
２５    リング状部分
２６    挿通孔
２７    接続部材
３      楔片
３１    凸条部
３２    接続部材係合部
４      アウターカップ
４１    蓋部
４２    アウターカップ用貫通孔
４３    テンションバー用雌ネジ
４４    当接部
５      テンションバー
５５    押さえナット
５６    ワッシャー
６      ラムチェアー
７      油圧ジャッキ
７１    油圧ホース
７２    計測器
８      設置面
９      解除部材
９１    押圧部
９２    解除部材雄ネジ部
Ｓ      隙間
１００  一体型カップ
１０１  筒部
１０２  筒部側係合部
１０３  蓋部側係合部
【図１】
2014214454.tif 000003
【図２】
2014214454.tif 000004
【図３】
2014214454.tif 000005
【図４】
2014214454.tif 000006
【図５】
2014214454.tif 000007
【図６】
2014214454.tif 000008